(57)【要約】【課題】立体編物において、連結糸の少なくとも一部が切断されたことを特徴とする保持材を提供し、連結糸の少なくとも一部が切断されているので、該立体編物の表編地と裏編地の間を開口することができ、例えば芝、苔や、砂利などの被保持物を保持材への装填が容易で、運搬し易く設置も簡便な編地からなる保持材を提供することを目的とする。【解決手段】互いに離間して配置された表編地と裏編地と、該表編地と該裏編地の間を往復して該表編地と該裏編地とを結合する連結糸とから編成された立体編物において、前記連結糸の少なくとも一部が切断されたことを特徴とする保持材。【選択図】図１
2013142204.tif 000002
【特許請求の範囲】
【請求項１】
互いに離間して配置された表編地と裏編地と、該表編地と該裏編地の間を往復して該表編地と該裏編地とを結合する連結糸とから編成された立体編物において、前記連結糸の少なくとも一部が切断されたことを特徴とする保持材。
【請求項２】
前記立体編物の連結糸が切断されて該立体編物が２分されて得られた表編地と裏編地とを、積層したことを特徴とする保持材。
【請求項３】
前記立体編物の連結糸が切断されて該立体編物が２分されて得られた表編地と裏編地とを、該表編地の連結糸と、該裏編地の連結糸とが向かい合うように該表編地と該裏編地とを、積層した請求項２に記載の保持材。
【請求項４】
前記連結糸は、１５０〜１０００ｄｔｅｘのモノフィラメント糸である請求項１〜３のいずれか１項に記載の保持材。
【請求項５】
前記立体編物の厚みは３〜５０ｍｍである請求項１〜４のいずれか１項に記載の保持材。
【発明の詳細な説明】
【技術分野】
【０００１】
本発明は、芝、苔や、砂利の保持などに好適に用いられ、被保持物の飛散防止になり、運搬し易く設置も簡便な編地からなる保持材に関する。
【背景技術】
【０００２】
庭園などの敷地や遊戯広場の緑化のために天然芝生が植えられることも多く、例えば特許文献１には、地面表面にネット状物を敷設し、その上面に芝苗あるいは芝種子を含む培土を盛り、さらにこの上面にマット地を敷いて芝生を育成させる天然芝生のマット構造体が記載されており、従来の単なるネット状物に芝苗を挟着して生育させたものに比べて、厚みもあり芝の絡みも十分で、運動競技における踏みつけや蹴りなどといった過酷な条件であっても芝が剥がれることない芝張りができることが開示されている。
【０００３】
また、農業や土木、建築等各種の分野において、遮光や保護、植生、防風、足場保護などの様々な目的で使用される編織地として特許文献２には、連結に要する手間を省くとともに強度上の難点も解消し、運搬等にも便利な編織地が記載されており、使用前では幅が狭いためロール状に巻いて運搬等の取り扱いが便利で、かつ狭幅で編成したものを縫うという手間をかけずとも幅広の編織地が得られることが開示されている。
【先行技術文献】
【特許文献】
【０００４】
【特許文献１】特開平７−２４１１３６公報
【特許文献２】特開２００２−３４８７５５号公報
【発明の概要】
【発明が解決しようとする課題】
【０００５】
しかしながら、従来の技術では、芝、苔や、砂利の保持などに好適に用いられ、被保持物を装填する手間も少なく、かつ被保持物の飛散防止になり、運搬し易く設置も簡便な編地からなるものはなかった。
【０００６】
本発明は、かかる技術的背景に鑑みてなされたものであって、被保持物の保持材への装填が容易で、運搬し易く設置も簡便な編地からなる保持材を提供することを目的とする。
【課題を解決するための手段】
【０００７】
本発明者は、かかる技術的背景に鑑みてなされたもので、互いに離間して配置された表編地と裏編地と、該表編地と該裏編地の間を往復して該表編地と該裏編地とを結合する連結糸とから編成された立体編物において、前記連結糸の少なくとも一部が切断されたことを特徴とする保持材を提供し、前記連結糸の少なくとも一部が切断されているので、該立体編物の表編地と裏編地の間を開口することができ、芝、苔や、砂利などの被保持物を容易に装填することができる保持材が得られることを見出し本発明に到達した。本発明は以下の手段を提供する。
【０００８】
［１］互いに離間して配置された表編地と裏編地と、該表編地と該裏編地の間を往復して該表編地と該裏編地とを結合する連結糸とから編成された立体編物において、前記連結糸の少なくとも一部が切断されたことを特徴とする保持材。
【０００９】
［２］前記立体編物の連結糸が切断されて該立体編物が２分されて得られた表編地と裏編地とを、積層したことを特徴とする保持材。
【００１０】
［３］前記立体編物の連結糸が切断されて該立体編物が２分されて得られた表編地と裏編地とを、該表編地の連結糸と、該裏編地の連結糸とが向かい合うように該表編地と該裏編地とを、積層した前項２に記載の保持材。
【００１１】
［４］前記連結糸は、１５０〜１０００ｄｔｅｘのモノフィラメント糸である前項１〜３のいずれか１項に記載の保持材。
【００１２】
［５］前記立体編物の厚みは３〜５０ｍｍである前項１〜４のいずれか１項に記載の保持材。
【発明の効果】
【００１３】
［１］の発明では、互いに離間して配置された表編地と裏編地と、該表編地と該裏編地の間を往復して該表編地と該裏編地とを結合する連結糸とから編成された立体編物において、前記連結糸の少なくとも一部が切断されているので、該立体編物の表編地と裏編地の間を開口することができ、芝、苔や、砂利などの被保持物を容易に装填することができる。このように装填したのちに該開口を閉じることで被保持物を保持することができる。そして、前記立体編物は、設置する場所のサイズ及び運搬方法に基づき適宜所要のサイズにすることができるので、扱いが簡便である。
【００１４】
［２］の発明では、前記立体編物の連結糸が切断されて該立体編物が２分されているので、例えば芝、苔や、砂利などの被保持物を表編地および／または裏編地に装填したのち、被保持物が表編地と裏編地の間になるよう重ね合わせることで被保持物を保持することができる。このような形態なので、装填作業が格段に容易である。
【００１５】
［３］の発明では、前記立体編物の連結糸が切断されて該立体編物が２分されているので、例えば芝、苔や、砂利などの被保持物を表編地および／または裏編地に装填したのち、該表編地の連結糸と、該裏編地の連結糸とが向かい合う向きに積層するので、該表編地の連結糸は該裏編地に進入し、該裏編地の連結糸は該表編地に進入し、および／または各連結糸は被保持物の隙間に侵入する。この結果、被保持物を十分に保持することができる。
【００１６】
［４］の発明では、前記連結糸が１５０〜１０００ｄｔｅｘのモノフィラメント糸であるので立体編物の形態を容易に保つことができるとともに、前記連結糸の少なくとも一部が切断され、例えば芝、苔や、砂利などの被保持物を表編地および／または裏編地に装填したのち、該表編地の連結糸と、該裏編地の連結糸の少なくともいずれか一方の連結糸が向かい合う相手側の編地に強固に進入し、および／または各連結糸は被保持物の隙間に強固に侵入することができるので、被保持物をさらに十分に保持することができる。
【００１７】
［５］の発明では、前記立体編物の厚みは３〜５０ｍｍであるので、例えば芝、苔や、砂利などの被保持物を装填、および装填後に運搬し易く設置も簡便で、とりわけ足場に難のある場所での運搬、施工においても取り扱いが容易である。
【図面の簡単な説明】
【００１８】
【図１】本発明の一実施形態に係わる保持材を示す説明図である。
【図２】本発明の一実施形態に係わる保持材の連結糸を切断し、表編地と裏編地に２分された状態を示す説明図である。
【図３】本発明の一実施形態に係わる保持材に被保持物を装填した状態を示す説明図である。
【図４】本発明の一実施形態に係わる保持材に被保持物を装填した状態を示す説明図である。
【図５】本発明の一実施形態に係わる保持材に被保持物を装填し、保持した状態を示す説明図である。
【符号の説明】
【００１９】
１…保持材
２…表編地
３…裏編地
４…連結糸
５…被保持物
【発明を実施するための形態】
【００２０】
本発明の保持材について、図を参照しながら説明する。図１に示すように、本発明の保持材１は、互いに離間して配置された表編地２と裏編地３と、表編地２と裏編地３の間を往復して表編地２と裏編地３とを結合する連結糸４とから編成された立体編物において、連結糸４の少なくとも一部が切断されたことを特徴とする。したがって、該立体編物の表編地と裏編地の間を開口することができ、芝、苔や、砂利などの被保持物を容易に装填することができる。このように装填したのちに該開口を閉じることで被保持物を保持することができる。
【００２１】
前記立体編物は、二列の針列を有するダブルラッセル機、ダブル丸編機等で編成する編物であって、互いに離間して配置された上下一対の編地（表編地２、裏編地３）を編むベース糸と両者を結合する連結糸４で編成される。前記立体編物を編成後、連結糸４の一部を切断することで、立体編物の表編地２と裏編地３の間を開口することができ、芝、苔や、砂利などの被保持物を容易に装填することができる。このように装填したのちに該開口を閉じることで被保持物を保持することができる。
【００２２】
表編地２と裏編地３の組織は、特に限定されないが、裏編地３を下側にして被保持物５を装填する場合、例えば苔、比較的細かい砂利などであれば、ウェール方向及びコース方向のいずれの方向にも連続したフラットな編地構造、例えばクインズコード組織とし、表編地２の組織は、メッシュ組織やマーギゼット組織等にするのが好ましい。もちろん、表編地２と裏編地３の組織は、同じ組織であってもよく、異なる組織であってもよい。
【００２３】
連結糸４は、上下一対の編地が所定の間隔を保持するように、一対の編地間に編み込んだもので、立体編物に所定の立体空間を付与する。立体編物の厚みは被保持物にもよるが、運搬し易く設置も簡便であるため３〜５０ｍｍが好ましい。立体編物の厚みが３ｍｍ未満では、被保持物を少量しか保持できず好ましくない。また、厚みが５０ｍｍを超えると、被保持物の量が多くなるので、運搬も設置も簡便とは言い難くなるので好ましくない。
【００２４】
また、立体編物を編成する糸の素材としては、特に限定しないが、ポリエチレンテレフタレート、ポリブチレンテレフタレートに代表されるポリエステル樹脂、ナイロン６等のポリアミド樹脂、ポリエチレン、ポリプロピレン等のポリオレフィン樹脂等の合成繊維のマルチフィラメントやモノフィラメントが好適に用いられ、繊維断面としては、丸断面であっても、扁平もしくは異形断面であってもよい。中でもポリエステル樹脂は、リサイクル性に優れており、さらに、上下一対の編地を形成するベース糸としては、柔らかいものがよく、２００〜２５００ｄｔｅｘのポリエステルマルチフィラメント糸が好適で、連結糸４としては１５０〜１０００ｄｔｅｘのポリエステルモノフィラメント糸が好適である。１５０ｄｔｅｘ未満では、立体を維持するのに好ましくない。また、１０００ｄｔｅｘを超えると、被保持物５の隙間に十分に侵入することができるものの、徒にコスト増になるので好ましくない。
【００２５】
立体編物において、連結糸４の少なくとも一部を切断するには、鋏、ナイフ、カッター、スライサーなど公知の方法で切断すればよい。また、連結糸４の切断は全部であっても良いし、一部であってもよい。全部切断すれば、被保持物５の装填作業は単純化できるので好ましい。一部切断すれば、表編地２と裏編地３がそれぞれどこかにまぎれることなく、個数管理が簡便であり好ましい。また、連結糸４の切断部位は、立体編物の厚みの概ね１／５〜４／５の範囲が好ましい。この範囲にすることで、表編地２と裏編地３のそれぞれが組織崩れすることなく、しかも、連結糸４が被保持物５の隙間に侵入するので好ましい。
【００２６】
本発明の保持材１に被保持物５を保持するには、少なくとも連結糸４の一部が切断された保持材では、表編地２と裏編地３の間を開口し被保持物５を装填すればよい（図１参照）。さらに、別の形態の保持材１は、連結糸４が切断され、表編地２と裏編地３に２分されているので（図２参照）、裏編地３の上に被保持物５を装填すればよい（図３参照）。そののち、表編地２の連結糸４の側を外側に向けて積層してもよいし、被保持物５の方に向けて積層してもよい。なかでも図３に示すように表編地２を積層することで、該表編地２の連結糸４と、該裏編地３の連結糸４とが向かい合う向きに積層するのが好ましい。このように積層することで、該表編地２の連結糸４は該裏編地３に進入し、該裏編地３の連結糸４は該表編地２に進入し、および／または各連結糸４は被保持物５の隙間に侵入する。この結果、被保持物５を十分に保持することができる。
【００２７】
また、表編地２と裏編地３のそれぞれに被保持物５を装填したのち積層してもよい（図４参照）。図３、図４に示す保持材１のいずれも被保持物５を装填したのち、被保持物５が表編地２と裏編地３の間になるよう重ね合わせられることで（図５参照）、被保持物５を十分に保持することができる。このように装填作業は格段に容易である。
【実施例】
【００２８】
次に、本発明の具体的な実施例について説明するが、本発明はこれらの実施例のものに特に限定されるものではない。一例として使用した保持材の構成は次の通りである。
【００２９】
＜実施例１＞
表編地の編糸が１４４０ｄｔｅｘ／９６ｆポリエステルで、表編地の組織が１リピート６コースの菱形メッシュ、そして裏編地の編糸が１４４０ｄｔｅｘ／９６ｆポリエステルで、裏編地の組織が１リピート２コース菱形メッシュ、連結糸が８８０ｄｔｅｘ／１ｆポリエステルで厚み１２ｍｍ、幅１００ｃｍからなる立体編物を工業用スライサーを活用して厚み方向を固定した状態で連結糸の概ね中間部分をスライスし、立体編物の約９割の連結糸を切断した。そして、比較的隙間を有する１リピート６コース菱形メッシュの表編地をめくり上げ、１リピート２コース菱形メッシュの裏編地の上に芝を載せ、めくり上げていた１リピート６コース菱形メッシュの表編地を芝の上に重ね芝を保持した。このように芝を装填し保持する作業は、容易に行うことができ、連結糸が芝の上下方向の両側から芝の隙間に侵入し支えることで、芝を十分に保持することができた。
【００３０】
＜実施例２＞
表編地の編糸が１４４０ｄｔｅｘ／９６ｆポリエステルで、表編地の組織が１リピート６コースの菱形メッシュ、そして裏編地の編糸が１４４０ｄｔｅｘ／９６ｆポリエステルで、裏編地の組織が１リピート２コース菱形メッシュ、連結糸が８８０ｄｔｅｘ／１ｆポリエステルで厚み１２ｍｍ、幅１００ｃｍからなる立体編物を工業用スライサーを活用して厚み方向を固定した状態で連結糸の表編地から厚み方向の概ね３ｍｍの部分をスライスし、連結糸が立体的に立ち比較的隙間を有する１リピート６コース菱形メッシュの表編地と、連結糸が立体的に立ち隙間が狭い１リピート２コース菱形メッシュの裏編地とに、２分された保持材を得た。この保持材の１リピート２コース菱形メッシュの裏編地の連結糸を有する側に芝を載せ装填したのち、芝の上に１リピート６コース菱形メッシュの表編地の連結糸を有する側を芝の方に向け積層し、芝を保持した。このように芝を装填し保持する作業は、容易に行うことができ、連結糸が芝の上下方向の両側から芝の隙間に侵入し支えることで、芝を十分に保持することができた。
【００３１】
＜実施例３＞
表編地の編糸が１１６０ｄｔｅｘ／９６ｆポリエステルで、表編地の組織が１リピート６コースの菱形メッシュ、そして裏編地の編糸が６６０ｄｔｅｘ／１９２ｆポリエステルで、裏編地の組織がクインズコード、連結糸が８８０ｄｔｅｘ／１ｆポリエステルで厚み１０ｍｍ、幅１２０ｃｍからなる立体編物を工業用スライサーを活用して厚み方向を固定した状態で連結糸の概ね中間部分をスライスし、連結糸が立体的に立ち、比較的隙間を有する１リピート６コース菱形メッシュの表編地と、連結糸が立体的に立ち、かなり隙間が狭いクインズコードの裏編地とに２分された保持材を得た。この保持材のクインズコードの裏編地の連結糸を有する側に苔を分散装填したのち、苔の上に１リピート６コース菱形メッシュの表編地を積層し苔を保持した。このように苔を装填し保持する作業は、容易に行うことができ、苔を十分に保持することができた。
【００３２】
＜実施例４＞
実施例２において、芝の上に１リピート６コース菱形メッシュの表編地の連結糸を有しない側を芝の方に向け積層した以外は実施例２と同様にして積層し、芝を保持した。このように芝を装填し保持する作業は、容易に行うことができ、連結糸が芝の１リピート２コース菱形メッシュの裏編地側から、芝の隙間に侵入し支えることで、芝を保持することができた。
【００３３】
＜比較例１＞  
実施例１において、連結糸を工業用スライサーでスライスする前の立体編物、すなわち編成りした立体編物の比較的隙間を有する１リピート６コース菱形メッシュの表編地側の隙間から、少しずつ芝を挿入装填し、芝を保持した。このような作業は、装填した芝は保持されるものの、芝を装填するのに手間と時間がかかり、困難な作業であった。
【００３４】
本実施例の保持材は、芝あるいは苔を容易に装填することができた。さらに、芝あるいは苔を装填した保持材の運搬は容易であって、運搬しても崩れることなく十分に保持することができた。これに対して、比較例では芝を装填する作業は手間と時間がかかり困難な作業であった。
【産業上の利用可能性】
【００３５】
この発明の保持材は、例えば庭園などの敷地や遊戯広場の緑化のために、天然芝生等を保持育成させるための保持材として利用することができる。
【図１】
2013142204.tif 000003
【図２】
2013142204.tif 000004
【図３】
2013142204.tif 000005
【図４】
2013142204.tif 000006
【図５】
2013142204.tif 000007